【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
複数のピーク測定値から、ペアを形成するために、第１のキャリア対ノイズ密度推定値を有する第１のピーク測定値と第１のドップラーオフセット測定値および第２のキャリア対ノイズ密度推定値を有する第２のピーク測定値と第２のドップラーオフセット測定値を選択することと、
前記第１のキャリア対ノイズ密度推定値および前記第２のキャリア対ノイズ密度推定値に基づいてキャリア対ノイズ密度差を計算することと、
前記第１のドップラーオフセット測定値および前記第２のドップラーオフセット測定値に基づいてドップラー差を計算することと、
前記キャリア対ノイズ密度差をキャリア対ノイズ密度しきい値と比較することと、
前記ドップラー差をドップラーしきい値と比較することと、
を備え、前記ドップラー差をドップラーしきい値と比較することは、前記ドップラー差が最少ドップラー差以上であり、且つ最大ドップラー差以下であるかを決定することを備える相互相関スプール緩和のための方法。
【請求項２】
前記第１のピーク測定値および前記第２のピーク測定値の観測時間の前記差の絶対値は、タイマチェックしきい値より小さい、
請求項１に記載の方法。
【請求項３】
前記複数のピーク測定値は、
広い周波数および時間ウィンドウ内にピークを見つけるために獲得探索を実行することと、
既知のソース測定値すべてに対して見つかった前記ピーク上で第１の相互相関テストを実行することと；
小さい周波数および時間探索ウィンドウの前記ピークを確認するために確認探索を実行することと；
前記確認探索の成功に続いて、前記ピーク上で第２の相互相関テストを実行し、前記ピークが前記第２の相互相関テストをパスした場合、位置固定計算のために使用する測定データベースの中に前記ピークを格納することと、
によって得られる、
請求項１に記載の方法。
【請求項４】
ソースピーク測定値が第１のＣ／Ｎｏのしきい値より大きい推定されたＣ／Ｎｏを有する場合、あるいは１つのソースピーク測定値のみが周波数スワースのあらかじめ決められた量より多くのものが探索された後ソースに対して見つかり、且つその推定されたＣ／Ｎｏが第２のＣ／Ｎｏしきい値より大きい場合、前記複数のピーク測定値は、
広い周波数および時間ウィンドウ内のピークを見つけるために獲得探索を実行することと、
小さな周波数および時間探索ウィンドウ内の前記ピークを確認するために確認探索を実行することと、
前記確認探索の成功に続いて、前記ピーク上で相互相関テストを実行し、前記ピークが前記相互相関テストをパスした場合、位置固定計算のために使用される測定データベース内に前記ピークを格納することと、
によって得られる、
請求項１に記載の方法。
【請求項５】
前記第１のＣ／Ｎｏしきい値は、３７ｄＢ−Ｈｚである、
請求項４に記載の方法。
【請求項６】
前記あらかじめ決められた周波数スワースの量は、５であり、前記第２のＣ／Ｎｏしきい値は、（３０＋ｘ）ｄＢ−Ｈｚにセットされる、ここで、ｘは、２である、
請求項５に記載の方法。
【請求項７】
より強いピーク測定値あるいはより弱いピーク測定値であるかどうかとして前記第１のピーク測定値および前記第２のピーク測定値を識別するために、前記第１のキャリア対ノイズ推定値を前記第２のキャリア対ノイズ推定値と比較することと、
前記第２のキャリア対ノイズ密度推定値から前記第１のキャリア対ノイズ密度推定値を引くことによって前記キャリア対ノイズ密度差を計算することと、
をさらに備え、前記第１のキャリア対ノイズ密度推定値は、前記より強いピーク測定値と関連する、
請求項１に記載の方法。
【請求項８】
より強いピーク測定値あるいはより弱いピーク測定値であるかどうかとして前記第１のピーク測定値と前記第２のピーク測定値を識別することをさらに備え、前記ドップラー差は、前記第２のドップラーオフセット測定値から前記第１のドップラーオフセット測定値を引くことによって計算され、前記第１のドップラーオフセット測定値は、前記より強いピーク測定値と関連する、
請求項１に記載の方法。
【請求項９】
前記キャリア対ノイズ密度しきい値は、リストから選択される、
請求項１に記載の方法。
【請求項１０】
前記少なくとも１つのドップラーしきい値は、リストから選択される、
請求項１に記載の方法。
【請求項１１】
前記ドップラー差は、モジュロ１ｋＨｚで計算される、
請求項１に記載の方法。
【請求項１２】
前記ドップラー差が最小のドップラーしきい値より大きくないあるいは等しくない場合、複数のしきい値のすべてがテストされたかどうか決定されることをさらに備える、
請求項１に記載の方法。
【請求項１３】
前記ドップラー差が最大のドップラーしきい値より小さくないあるいは等しくない場合、複数のしきい値のすべてがテストされたどうか決定することをさらに備える、
請求項１に記載の方法。
【請求項１４】
前記キャリア対ノイズ密度しきい値、前記最大のドップラーしきい値、および前記最小のドップラーしきい値は、リストから選択される、
請求項１に記載の方法。
【請求項１５】
より弱いピーク測定値として前記第１のピーク測定値あるいは前記第２のピーク測定値のいずれかを識別することをさらに備える、
請求項１に記載の方法。
【請求項１６】
相互相関スプールとして前記より弱いピーク測定値を識別することをさらに備える、
請求項１５に記載の方法。
【請求項１７】
前記相互相関スプールを廃棄することをさらに備える、
請求項１６に記載の方法。
【請求項１８】
前記複数のピーク測定値のうちの任意の２つが相互相関テストされなかったかどうか判断することと、
前記複数のピーク測定値のすべてが相互相関テストされた場合、前記相互相関テストを終了することと、
をさらに備える、請求項１６に記載の方法。
【請求項１９】
前記キャリア対ノイズ密度差が前記キャリア対ノイズ密度しきい値より大きくないあるいは等しくない場合、複数のしきい値のすべてがテストされたかどうか決定することをさらに備える、
請求項１に記載の方法。
【請求項２０】
前記第１のピーク測定値および前記第２のピーク測定値を選択する前にタイマチェックを実行することをさらに備える、
請求項１に記載の方法。
【請求項２１】
少なくとも２つのキャリア対ノイズ密度しきい値に基づいて少なくとも３つのグループに前記複数のピーク測定値をグループ化することをさらに備える、
請求項１に記載の方法。
【請求項２２】
前記少なくとも２つのキャリア対ノイズ密度しきい値のうちの１つは、３７ｄＢ−Ｈｚの値を有する、
請求項２１に記載の方法。
【請求項２３】
前記少なくとも２つのキャリア対ノイズ密度しきい値のうちの１つは、４１ｄＢ−Ｈｚの値を有する、
請求項２１に記載の方法。
【請求項２４】
前記少なくとも２つのキャリア対ノイズ密度しきい値のうちの１つは、３７ｄＢ−Ｈｚの値を有し、前記少なくとも２つのキャリア対ノイズ密度しきい値のうちの他の１つは、４１ｄＢ−Ｈｚの値を有する、
請求項２１に記載の方法。
【請求項２５】
前記少なくとも３つのグループの第１のグループの中の前記ピーク測定値の各々は、前記少なくとも３つのグループのうちの第２のグループの中のピーク測定値でのみ相互相関テストされる、
請求項２１に記載の方法。
【請求項２６】
より弱いピーク測定値として前記第１のピーク測定値あるいは前記第２のピーク測定値のいずれか一方を識別することと、なお、前記第１のキャリア対ノイズ密度推定値あるいは前記第２のキャリア対ノイズ密度推定値のうちの１つは、前記より弱いピーク測定値と関連するより弱いキャリア対ノイズ密度推定値である、
前記より弱いキャリア対ノイズ密度推定値は、非相互相関しきい値より大きいかどうかを決定することと、
をさらに備える、請求項１に記載の方法。
【請求項２７】
前記非相互相関しきい値は、３７ｄＢ−Ｈｚである、
請求項２６に記載の方法。
【請求項２８】
前記より弱いキャリア対ノイズ密度推定値が前記非相互相関しきい値より大きい場合に位置固定計算に対する使用のためのデータベースの中に前記より弱いピーク測定値を格納することをさらに備える、
請求項２６に記載の方法。
【請求項２９】
複数のピーク測定値で相互相関テストを実行するためにデジタル信号プロセッサと、なお、前記デジタル信号プロセッサは、以下を実行するための処理ユニットを含む、
前記複数のピーク測定値から、ペアを形成するために第１のキャリア対ノイズ密度推定値を有する第１のピーク測定値と第１のドップラーオフセット測定値および第２のキャリア対ノイズ密度推定値を有する第２のピーク測定値と第２のドップラーオフセット測定値を選択することと、
前記第１のキャリア対ノイズ密度推定値および前記第２のキャリア対ノイズ密度推定値に基づいてキャリア対ノイズ密度差を計算することと、
前記第１のドップラーオフセット測定値および前記第２のドップラーオフセット測定値に基づいてドップラー差を計算することと、
前記キャリア対ノイズ密度差をキャリア対ノイズ密度しきい値と比較することと、
前記ドップラー差をドップラーしきい値と比較することと、
を備え、前記ドップラー差をドップラーしきい値と比較することは、前記ドップラー差が最少ドップラー差以上であり、且つ最大ドップラー差以下であるかを決定することを備えるＧＮＳＳ受信機。
【請求項３０】
前記第１のピーク測定値および前記第２のピーク測定値の観測時間の前記差の絶対値は、タイマチェックしきい値より小さい、
請求項２９に記載のＧＮＳＳ受信機。
【請求項３１】
前記ＧＮＳＳ受信機は、ＧＰＳ受信機である、
請求項２９に記載のＧＮＳＳ受信機。
【請求項３２】
前記複数のピーク測定値は、
広い周波数および時間ウィンドウ内にピークを見つけるために獲得探索を実行することと、
既知のソース測定値すべてに対して見つかった前記ピーク上で第１の相互相関テストを実行することと、
小さい周波数および時間探索ウィンドウの前記ピークを確認するために確認探索を実行することと、
前記確認探索の成功に続いて、前記ピーク上で第２の相互相関テストを実行することと、前記ピークが前記第２の相互相関テストをパスした場合、位置固定計算のために使用する測定データベースの中に前記ピークを格納することと、
によって得られる、
請求項２９に記載のＧＮＳＳ受信機。
【請求項３３】
ソースピーク測定値が第１のＣ／Ｎｏのしきい値より大きい推定されたＣ／Ｎｏを有する場合、あるいは１つのソースピーク測定値のみが周波数スワースのあらかじめ決められた量より多くのものが探索された後ソースに対して見つかり、且つその推定されたＣ／Ｎｏが第２のＣ／Ｎｏしきい値より大きい場合、前記複数のピーク測定値は、
幅広い周波数および時間ウィンドウ内のピークを見つけるために獲得探索を実行することと、
小さな周波数および時間探索ウィンドウ内の前記ピークを確認するために確認探索を実行することと、
確認探索の成功に続いて、前記ピーク上で相互相関テストを実行し、前記ピークが前記相互相関テストをパスした場合、位置固定計算のために使用される測定データベース内に前記ピークを格納することと、
によって得られる、
請求項２９に記載のＧＮＳＳ受信機。
【請求項３４】
前記第１のＣ／Ｎｏしきい値は、３７ｄＢ−Ｈｚである、
請求項３３に記載のＧＮＳＳ受信機。
【請求項３５】
前記あらかじめ決められた周波数スワースの量は、５であり、前記第２のＣ／Ｎｏしきい値は、（３０＋ｘ）ｄＢ−Ｈｚにセットされる、ここで、ｘは、２である、
請求項３４に記載のＧＮＳＳ受信機。
【請求項３６】
複数のＲＦ信号を受信するためのアンテナをさらに備える、
請求項２９に記載のＧＮＳＳ受信機。
【請求項３７】
前記複数のＲＦ信号を複数のダウンコンバートされた信号にダウンコンバートするための周波数コンバータをさらに備える、
請求項３６に記載のＧＮＳＳ受信機。
【請求項３８】
前記複数のダウンコンバートされた信号を複数のデジタル化された信号に変換するためのＡ／Ｄコンバータをさらに備える、
請求項３７に記載のＧＮＳＳ受信機。
【請求項３９】
前記複数のデジタル化された信号は、前記複数のピーク測定値を生成するために、複数の基準関数と相関させる、
請求項３８に記載のＧＮＳＳ受信機。
【請求項４０】
その上にプログラムコードを含むコンピュータ可読媒体であって、
複数のピーク測定値から、ペアを形成するために、第１のキャリア対ノイズ密度推定値を有する第１のピーク測定値と第１のドップラーオフセット測定値および第２のキャリア対ノイズ密度推定値を有する第２のピーク測定値と第２のドップラーオフセット測定値を選択するためのプログラムコードと、
前記第１のキャリア対ノイズ密度推定値および前記第２のキャリア対ノイズ密度推定値に基づいてキャリア対ノイズ密度差を計算するためのプログラムコードと、
前記第１のドップラーオフセット測定値および前記第２のドップラーオフセット測定値に基づいてドップラー差を計算するためのプログラムコードと、
前記キャリア対ノイズ密度差をキャリア対ノイズ密度しきい値と比較するためのプログラムコードと、
前記ドップラー差をドップラーしきい値と比較するためのプログラムコードと、
を備え、前記ドップラー差をドップラーしきい値と比較することは、前記ドップラー差が最少ドップラー差以上であり、且つ最大ドップラー差以下であるかを決定することを備えるコンピュータ可読媒体。
【請求項４１】
前記第１のピーク測定値および前記第２のピーク測定値の観測時間の前記差の絶対値は、タイマチェックしきい値より小さい、
請求項４０に記載のコンピュータ可読媒体。
【請求項４２】
前記複数のピーク測定値は、
幅広い周波数および時間ウィンドウ内にピークを見つけるために獲得探索を実行するためのプログラムコードと、
既知のソース測定値すべてに対して見つかった前記ピーク上で第１の相互相関テストを実行するためのプログラムコードと、
小さい周波数および時間探索ウィンドウの前記ピークを確認するために確認探索を実行するためのプログラムコードと、
前記確認探索の成功に続いて、前記ピーク上で第２の相互相関テストを実行し、前記ピークが前記第２の相互相関テストをパスした場合、位置固定計算のために使用する測定データベースの中に前記ピークを格納するためのプログラムコードを実行することと、
によって得られる、
請求項４０に記載のコンピュータ可読媒体。
【請求項４３】
ソースピーク測定値が第１のＣ／Ｎｏのしきい値より大きい推定されたＣ／Ｎｏを有する場合、あるいは１つのソースピーク測定値のみが周波数スワースのあらかじめ決められた量より多くのものが探索された後ソースに対して見つかり、且つその推定されたＣ／Ｎｏが第２のＣ／Ｎｏしきい値より大きい場合、前記複数のピーク測定値は、
幅広い周波数および時間ウィンドウ内のピークを見つけるために獲得探索を実行することと、
小さな周波数および時間探索ウィンドウ内の前記ピークを確認するために確認探索を実行することと、
前記確認探索の成功に続いて、前記ピーク上で相互相関テストを実行するためのプログラムコードと、前記ピークが前記相互相関テストをパスした場合、位置固定計算のために使用される測定データベース内に前記ピークを格納するためのプログラムコードを実行することと、
によって得られる、
請求項４０に記載のコンピュータ可読媒体。
【請求項４４】
より強いピーク測定値あるいはより弱いピーク測定値であるかどうかとして前記第１のピーク測定値および前記第２のピーク測定値を識別するために、前記第１のキャリア対ノイズ推定値を前記第２のキャリア対ノイズ推定値と比較するためのプログラムコードと、
前記第２のキャリア対ノイズ密度推定値から前記第１のキャリア対ノイズ密度推定値キャリアを引くことによって前記キャリア対ノイズ密度差を計算するためのプログラムコードと、
をさらに備え、前記第１のキャリア対ノイズ密度推定値は、前記より強いピーク測定値と関連する、
請求項４０に記載のコンピュータ可読媒体。
【請求項４５】
より強いピーク測定値あるいはより弱いピーク測定値であるかどうかとして前記第１のピーク測定値と前記第２のピーク測定値を識別するためのプログラムコードをさらに備え、前記ドップラー差は、前記第２のドップラーオフセット測定値から前記第１のドップラーオフセット測定値を引くことによって計算され、前記第１のドップラーオフセット測定値は、前記より強いピーク測定値と関連する、
請求項４０に記載のコンピュータ可読媒体。